(57)【要約】      （修正有）【課題】簡便な構成として、操作用の連結材を付けた遊技球の遊技領域内での不正操作を防止できるパチンコ遊技機の提供。【解決手段】パチンコ遊技機は、遊技球Ｂが、可撓性を有した紐状の連結材Ｓを付けられた状態で、球受け皿を経て発射された際に、連結材を使用した遊技領域での遊技球の操作を防止できる。球受け皿から遊技領域に至るまでの間の遊技球の通路には、球受け皿側から遊技領域側に向かう連結材Ｓの速度を低減させるように、連結材Ｓに抵抗をかけて接触する抵抗部ＳＲ１が、配設される。抵抗部は、連結材を付けていない遊技球の遊技領域内への打ち出しを許容し、かつ、連結材を付けた遊技球の遊技領域内への打ち出しを抑制するように、球受け皿から遊技領域に向かって移動する遊技球自体との接触を抑制して、移動する遊技球に連なって繰り出される連結材Ｓに対して接触する位置に、配設される。【選択図】図１４
2012070943.tif 000002
【特許請求の範囲】
【請求項１】
球受け皿からの遊技球が、発射装置を経て遊技領域に発射され、さらに、入賞スイッチに到達可能に構成されるパチンコ遊技機であって、
前記球受け皿から前記遊技領域に至るまでの間の遊技球の通路に、可撓性を有する紐状として前記遊技球に連結された連結材における前記球受け皿側から前記遊技領域側に向かう速度を低減させるように、前記連結材に抵抗をかけて接触する抵抗部が、配設されるとともに、
該抵抗部が、
前記連結材を付けていない遊技球の前記遊技領域内への打ち出しを許容し、かつ、前記連結材を付けた遊技球の前記遊技領域内への打ち出しを抑制するように、
前記球受け皿から前記遊技領域に向かって移動する遊技球自体との接触を抑制して、移動する遊技球に連なって繰り出される前記連結材に対して接触する位置に、配設されていることを特徴とするパチンコ遊技機。
【請求項２】
前記球受け皿から前記遊技領域に至るまでの間の遊技球の通路が、曲がった通路部位を備え、
前記抵抗部が、曲がった前記通路部位における内側の通路面側に、配設されていることを特徴とする請求項１に記載のパチンコ遊技機。
【請求項３】
前記抵抗部が、
前記遊技球を進入不能とした開口幅として、曲がった前記通路部位を通過する遊技球の移動方向に沿って延び、繰り出される前記連結材を底部側に案内可能な底狭まりの溝部と、
該溝部の底部側に、開口幅を広げるように配置され、前記底部側に案内された前記連結材を引掛け可能に進入させて、前記溝部の開口側への移動を規制可能な引掛け溝と、
を備えて構成されていることを特徴とする請求項２に記載のパチンコ遊技機。
【請求項４】
前記抵抗部が、前記球受け皿から前記発射装置の発射レールに落下させるまでの遊技球の通路に、配設されていることを特徴とする請求項３に記載のパチンコ遊技機。
【請求項５】
曲がった前記通路部位が、遊技領域へ打ち出す遊技球を、外側の通路面側で移動させる構成として、
曲がった前記通路部位の内側の通路面側に配置される前記抵抗部が、繰り出される前記連結材に対し、摩擦抵抗をかけるように接触する摩擦抵抗部を備えて構成されていることを特徴とする請求項２に記載のパチンコ遊技機。
【請求項６】
前記摩擦抵抗部が、遊技球を遊技領域に案内する外側レール部と内側レール部とを備えて構成されるレール部の前記内側レール部に、配設されていることを特徴とする請求項５に記載のパチンコ遊技機。
【請求項７】
前記摩擦抵抗部が、前記連結材との接触時に弾性変形する弾性変形部、を設けて構成されていることを特徴とする請求項５若しくは請求項６に記載のパチンコ遊技機。
【請求項８】
前記発射装置から発射した遊技球を遊技領域に案内するレール部が、外側レール部と内側レール部とを備えて構成されて、該外側レール部の下端に、遊技球の前記球受け皿への戻し通路に連なる流入口を配設させて、構成され、
前記抵抗部が、前記流入口の周縁であって、前記発射装置から離れた側に、配設されていることを特徴とする請求項１に記載のパチンコ遊技機。
【請求項９】
前記抵抗部が、繰り出される前記連結材を引掛ける引掛け突起、を備えて構成されていることを特徴とする請求項２若しくは請求項８に記載のパチンコ遊技機。
【請求項１０】
前記抵抗部を設けた部材が、着脱可能な交換部品としていることを特徴とする請求項１乃至請求項９のいずれか１項に記載のパチンコ遊技機。
【発明の詳細な説明】
【技術分野】
【０００１】
本発明は、遊技球が、可撓性を有した紐状の連結材を付けられた状態で、球受け皿を経て発射された際に、連結材を使用した遊技領域内での遊技球の操作を防止できて、不正行為を防止できるパチンコ遊技機に関する。
【背景技術】
【０００２】
昨今、パチンコ遊技機において、不正に賞球を得る不正行為として、可撓性を有した細い（０．１〜０．３φ程度）釣り糸のような連結材を、遊技球に取り付け、その遊技球を発射装置から遊技領域に打ち出し、そして、普通入賞口等の入賞口の入賞スイッチの部位で、連結材を操作して、遊技球を往復移動させることにより、入賞スイッチを何回もオンさせて、不正に賞球を得る行為があった。
【０００３】
なお、連結材を遊技球に取り付けて行う不正行為としては、他に、連結材を把持した状態で、遊技球を計数機に投入し、連結材を操作して、遊技球を玉センサ部分で往復移動させることにより、計数値を多くするものがあった（例えば、特許文献１参照）。そして、従来、このような不正行為の対策としては、玉センサ部分での反転するような遊技球の異常な移動を、所定のレバースイッチで検知し、その不正行為を報知していた。
【０００４】
そこで、パチンコ遊技機において、遊技球に付けた連結材の操作による不正行為に対し、上記のレバースイッチ等を入賞スイッチ付近に設けて対処することが考えられる。
【先行技術文献】
【特許文献】
【０００５】
【特許文献１】特開平１０−８５４４１号公報（第５〜７頁、図１）
【発明の概要】
【発明が解決しようとする課題】
【０００６】
しかし、従来のパチンコ遊技機では、入賞口の数が多く、各入賞口に、反転する遊技球の移動をセンシングするレバースイッチ等を配置することは、レバースイッチ等に連結する電源線や信号線を含めて、設置スペースや部品点数の増加を招くことから、好ましくない。
【０００７】
本発明は、上述の課題を解決するものであり、連結材を付けた遊技球を使用しようとしても、簡便な構成として、連結材を使用した遊技球の遊技領域内での不正操作を防止できるパチンコ遊技機を提供することを目的とする。
【課題を解決するための手段】
【０００８】
本発明に係るパチンコ遊技機は、球受け皿からの遊技球が、発射装置を経て遊技領域に発射され、さらに、入賞スイッチに到達可能に構成されるパチンコ遊技機であって、
球受け皿から遊技領域に至るまでの間の遊技球の通路に、可撓性を有する紐状として遊技球に連結された連結材における球受け皿側から遊技領域側に向かう速度を低減させるように、連結材に抵抗をかけて接触する抵抗部が、配設されるとともに、
抵抗部が、
連結材を付けていない遊技球の遊技領域内への打ち出しを許容し、かつ、連結材を付けた遊技球の遊技領域内への打ち出しを抑制するように、
球受け皿から遊技領域に向かって移動する遊技球自体との接触を抑制して、移動する遊技球に連なって繰り出される連結材に対して接触する位置に、配設されていることを特徴とする。
【０００９】
本発明に係るパチンコ遊技機では、遊技球が、可撓性を有した紐状の連結材を付けられた状態で、球受け皿を経て発射されれば、遊技球に連なる連結材が、抵抗部に接触して、抵抗（摩擦抵抗や引掛かる際の抵抗等）をかけられて速度（繰出速度）を低減される。そして、連結材が、速度を低減されれば、遊技球の移動に制動をかける状態となって、遊技球の遊技領域への打ち出しを防止できる。
【００１０】
また、抵抗部は、球受け皿から遊技領域に向かって移動する遊技球自体との接触を抑制できるように、配置されているため、連結材を付けていない遊技球の遊技領域内への打ち出しを許容でき、正常遊技時の遊技球の遊技領域への打ち出し速度を低減せず、正常遊技時の遊技球を、支障なく、遊技領域へ打ち出すことができる。
【００１１】
さらに、本発明に係るパチンコ遊技機では、遊技球自体との接触を抑制できて、繰り出される連結材と接触できる位置に、単に、抵抗部を、配設するだけで、連結材を付けた遊技球の遊技領域への打ち出しを防止できて、簡便な構成で、連結材を使用した遊技球の不正操作を防止できる。
【００１２】
＜請求項２の説明＞
そして、本発明に係るパチンコ遊技機では、球受け皿から遊技領域に至るまでの間の遊技球の通路が、曲がった通路部位を備えていれば、その曲がった通路部位における内側の通路面側に、抵抗部を配置させることが望ましい。
【００１３】
このような構成では、抵抗部に対し、移動する遊技球に連なって繰り出される連結材を、緊張状態として圧接できて、連結材に大きな抵抗（摩擦抵抗や引掛かりの抵抗等）をかけることができる。一方、遊技球は、単に、抵抗部と非接触で、若しくは、自重程度の圧力をかけて抵抗部と接触する程度で、通過する状態となって、抵抗部は、移動する遊技球自体に対して、減速させような接触抵抗をかけ難い。そのため、このような構成では、円滑に、連結材に制動をかけ、かつ、正常遊技時の遊技球を遊技領域へ打ち出すことができる。
【００１４】
＜請求項３の説明＞
上記の場合、抵抗部は、遊技球を進入不能とした開口幅として、曲がった通路部位を通過する遊技球の移動方向に沿って延び、繰り出される連結材を底部側に案内可能な底狭まりの溝部と、溝部の底部側に、開口幅を広げるように配置され、底部側に案内された連結材を引掛け可能に進入させて、溝部の開口側への移動を規制可能な引掛け溝と、を設けて構成してもよい。
【００１５】
このような構成では、連結材が、遊技球に引張られて緊張状態となれば、抵抗部の溝部の開口から、円滑に、溝部の底部に案内され、そして、引掛け溝に進入する。その後、連結材は、遊技球に引張られても、溝部から外れず、引掛け溝の内周面で摺動抵抗（動摩擦抵抗）をかけられて、安定して、減速される。特に、連結材が、遊技球に引張られて、溝部から外れる方向に繰り出されても、引掛け溝における底部と対向する引掛け面で、連結材に摺動抵抗をかけることができて、底部側で摺動させたり、あるいは、逆方向の引掛け面側で摺動させたりして、安定して、連結材を減速できる。
【００１６】
また、引掛け溝は、遊技球の進入できない溝部の底部側に配置されていることとあいまって、減速させるような状態で遊技球と接触せず、連結材を付けていない正常遊技時の遊技球を、支障なく、遊技領域へ打ち出すことができる。
【００１７】
なお、引掛け溝の内周面を含めた溝部の底部側には、連結材との摺動抵抗を高めるために、摩擦抵抗（動摩擦抵抗）を高める細かい凹凸やゴム等の弾性被覆層等の摩擦抵抗増大表面部、を設けてもよい。
【００１８】
＜請求項４の説明＞
また、上記の引掛け溝を設けてなる抵抗部は、球受け皿から発射装置の発射レールに落下させるまでの通路に、配設することが望ましい。このような構成では、抵抗部を経た後の遊技球の通路が発射レール上で発射される通路となって、急激に、遊技球の移動方向を曲げており、引掛け溝を備えていれば、連結材に対し、一層、安定して、引掛け溝の内周面による摺動抵抗をかけることができる。さらに、抵抗部が、球受け皿から発射装置の発射レールに落下させるまでの遊技球の通路に配置されれば、球受け皿からパチンコ遊技機内に入り込んだ目視できないエリアで、連結材の繰出を抑制可能となることから、不正行為者が連結材の繰出を抑制される原因や理由を把握し難く、そのため、不正行為者の不正行為を繰り返す意欲を、効果的に削ぐことができる。
【００１９】
＜請求項５の説明＞
また、曲がった通路部位が、遊技領域へ打ち出す遊技球を、外側の通路面側で移動させる構成としていれば、曲がった通路部位の内側の通路面側に配置される抵抗部は、繰り出される連結材に対し、摩擦抵抗をかけるように接触する摩擦抵抗部を設けて構成してもよい。すなわち、このような構成の曲がった通路部位では、遊技領域へ打ち出す遊技球自体は、外側の通路面側で移動されて、曲がった通路部位の内側の通路面側に配置された摩擦抵抗部に、接触しないことから、連結材を付けていない正常遊技時の遊技球を、減速させずに、支障なく、遊技領域へ打ち出すことができる。そして、遊技球に引張られる連結材自体は、緊張状態で摩擦抵抗部に、圧接されるため、的確に、摩擦抵抗を受けて減速されることとなる。
【００２０】
＜請求項６の説明＞
この場合の摩擦抵抗部としては、例えば、遊技球を遊技領域に案内する外側レール部と内側レール部とを備えて構成されるレール部の内側レール部に、配設することができる。
【００２１】
＜請求項７の説明＞
また、この場合の摩擦抵抗部は、細かい凹凸を設けたり、あるいは、弾性変形する弾性変形部を設けて、動摩擦抵抗を増加させることができるが、ゴミを付着させない観点から、連結材との接触時に弾性変形する弾性変形部を設けて構成することが望ましい。
【００２２】
＜請求項８の説明＞
さらに、本発明に係るパチンコ遊技機では、発射装置から発射した遊技球を遊技領域に案内するレール部が、外側レール部と内側レール部とを備えて構成されて、外側レール部の下端に、遊技球の球受け皿への戻し通路に連なる流入口を配設させて、構成される場合には、抵抗部は、流入口の周縁であって、発射装置から離れた側に、配設してもよい。
【００２３】
このような構成では、発射装置から発射された遊技球がレール部を通過する際、遊技球は、レール部までの直線移動から、レール部の外側レール部に案内される曲線移動となって、遊技球に引張られる連結材も、遠心力により、外側レール部側に振られつつ繰り出される。そして、外側レール部側に振られて繰り出される連結材は、慣性力により、戻し通路に連なる流入口の周縁における発射装置から離れた側の抵抗部に、円滑に、接触し、抵抗部から抵抗（摩擦抵抗や引掛かりの抵抗等）をかけられ、減速される。その結果、戻し通路の流入口周縁に設けられた抵抗部が、連結材の速度を低減させて、遊技球の遊技領域への打ち出しを防止可能となる。また、戻し通路の流入口は、遊技領域に打ち出されなかった遊技球をレール部を流下させて球受け皿側に戻すように、配設されているものであって、その流入口の周縁自体が、遊技領域へ向かう遊技球自体を減速させないように、配設されている。そのため、戻し通路側の流入口の周縁に配置された抵抗部は、遊技領域へ向かって移動する遊技球と接触し難く、連結材を付けていない正常遊技時の遊技球を、減速させずに、支障なく、遊技領域へ打ち出すことができる。
【００２４】
＜請求項９の説明＞
この場合の戻し通路の流入口周縁に設ける抵抗部は、繰り出される連結材を引掛ける引掛け突起、を備えて構成することができる。このような構成では、連結材は、遊技球に引張られても、引掛け突起に引掛けられて、引掛け突起の部位で曲がった状態で、繰り出され、引掛け突起から摺動抵抗（動摩擦抵抗）をかけられたり、引掛かって急激に制動をかけられるような抵抗を受けて、減速され、その結果、遊技球の遊技領域への打ち出しが防止される。
【００２５】
また、このような抵抗部としての引掛け突起は、遊技球自体との接触を抑制できて、繰り出される連結材と接触できる位置に配置させることができれば、球受け皿から遊技領域に至るまでの間の遊技球の曲がった通路部位における内側の通路面側に、配置させて、繰り出される連結材を、急激に制動をかけるように、引掛けてもよい。
【００２６】
なお、引掛け突起の摺動抵抗を高めたり、引掛け後の外れを防止するために、引掛け突起の連結材との接触面には、摩擦抵抗を高める細かい凹凸やゴム等の弾性被覆層等の摩擦抵抗増大表面部、を設けてもよい。
【００２７】
＜請求項１０の説明＞
そして、本発明に係るパチンコ遊技機では、抵抗部を設けた部材を、着脱可能な交換部品とすれば、既存のパチンコ遊技機において、交換して、抵抗部を設けた部品を取り付けることができて、容易に、連結材を付けた遊技球による不正行為対策を図ることができる。このような交換部品としては、球受け皿から発射装置に遊技球を送る球送り装置等が例示できる。
【００２８】
勿論、上記のような交換部品としなくとも、別途、抵抗部を設けた部材、あるいは、抵抗部自体を、パチンコ遊技機に設けるようにしてもよい。
【発明の効果】
【００２９】
したがって、本発明に係るパチンコ遊技機では、連結材を付けた遊技球を使用しようとしても、簡便な構成として、連結材を使用した遊技球の遊技領域内での不正操作を防止できる。
【図面の簡単な説明】
【００３０】
【図１】本発明に係る第１実施形態のパチンコ遊技機の概略正面図である。
【図２】第１実施形態のパチンコ遊技機における本体枠に対して、前面枠を開けた状態を示す概略部分斜視図であり、遊技盤を省略している。
【図３】図２に示す状態から、球送り装置を外した状態を示す概略部分斜視図である。
【図４】図３に示す状態の本体枠側の発射装置に対し、球送り装置を配置させた状態と、球送り装置を外した状態と、を示す概略斜視図である。
【図５】第１実施形態のパチンコ遊技機の本体枠側を示す概略正面図である。
【図６】第１実施形態の球送り装置を示す概略背面図である。
【図７】第１実施形態の球送り装置の概略分解斜視図である。
【図８】第１実施形態の球送り装置に抵抗部を配設するための抵抗部品の左側面図である。
【図９】第１実施形態の球送り装置に使用される抵抗部品の斜め左後方向から見た部分断面背面図である。
【図１０】第１実施形態の球送り装置に使用される抵抗部品の斜め左前方向から見た正面図である。
【図１１】連結材を付けた遊技球が第１実施形態の球送り装置を通過する状態を、順に示す概略斜視図である。
【図１２】連結材を付けた遊技球が第１実施形態の球送り装置を通過する状態を、順に示す概略斜視図であり、図１１の後の状態を示す。
【図１３】連結材を付けた遊技球が第１実施形態の球送り装置を通過する状態を、順に示す概略拡大平面図である。
【図１４】連結材を付けた遊技球が発射装置から発射された状態を、第１実施形態の球送り装置の背面側から示した概略図である。
【図１５】第１実施形態の球送り装置の変形例の使用時において、連結材を付けた遊技球が発射装置から発射された状態の二態様をそれぞれ示す概略平面図である。
【図１６】第１実施形態の球送り装置の変形例の使用時において、連結材を付けた遊技球が発射装置から発射された状態を示す概略背面図である。
【図１７】第１実施形態の球送り装置の変形例の使用時において、連結材を付けた遊技球が発射装置から発射された他の状態を示す概略背面図である。
【図１８】第２実施形態の抵抗部を示す概略斜視図である。
【図１９】第２実施形態の抵抗部の作動時を順に示す概略部分正面図である。
【図２０】第２実施形態の抵抗部を示す概略右側面図である。
【図２１】第３実施形態の抵抗部を示す概略正面図である。
【図２２】第３実施形態の抵抗部を示す概略斜視図である。
【図２３】第３実施形態の抵抗部の作動時を説明する概略縦断面図である。
【図２４】第３実施形態の抵抗部の作動時を説明する概略横断面図である。
【図２５】第３実施形態の抵抗部の作動時の状態を説明する拡大図である。
【図２６】第４実施形態の抵抗部を説明するパチンコ遊技機の本体枠側を示す概略正面図である。
【図２７】第４実施形態の抵抗部を示す概略斜視図である。
【図２８】第４実施形態の抵抗部の作動時を説明する概略縦断面図である。
【発明を実施するための形態】
【００３１】
＜第１実施形態＞
以下、本発明の一実施形態を図面に基づいて説明すると、第１実施形態のパチンコ遊技機１は、図１，２に示すように、本体枠２と、本体枠２にヒンジ結合されて開閉可能な前面枠３と、を備えて構成されている。本体枠２は、外枠（機枠）２ａと、外枠２ａにヒンジ結合されて開閉可能とし、遊技盤５を設けてなる中枠（内枠）２ｂと、を備えて構成されている。前面枠３は、遊技盤５の前方側に配置される透明なガラス部４１と、ガラス部４１の下方に配置されて、球受け皿４４を設けた皿ユニット部４３と、を備えて構成されている。皿ユニット部４３には、遊技球を遊技盤５の遊技領域１２に打ち出すために操作するハンドル４８や皿球抜きボタン４９、通路球抜きボタン５０、演出ボタン５１が配設されている。
【００３２】
遊技盤５の外縁側には、外側レール部９と内側レール部１０とを有してなるレール部８が配設され、レール部８の内側の遊技領域１２には、中央に配置された画像表示装置１５を設けてなるセンター役物１４や、その周囲に配置される図示しない釘、風車１７、普通入賞口１８、賞球の無い入賞口（ゲート）１９、第１始動口２０、第２始動口（電動チューリップ）２１、大入賞口（アタッカー）２２、アウト口２３等の公知の部材が、配設されている。
【００３３】
このパチンコ遊技機１では、ハンドル４８を操作すれば、皿ユニット部４３の内部に設けられた球送り装置６０の後述する送り部材７０（図７参照）と、遊技盤５の下方に配置された発射装置３０の発射杆３２（図５，６参照）と、が連動するように作動されて、球受け皿４４上の遊技球が、球送り装置６０の送り部材７０によって、１球ずつ、発射装置３０の後述する発射レール３５上に送られ、ついで、発射装置３０の発射杆３２が、発射レール３５上の遊技球を、叩いて発射させることから、遊技球が、発射装置３０から、レール部８を経て、遊技領域１２に打ち出されることとなる。
【００３４】
そして、遊技領域１２に打ち出された遊技球は、普通入賞口１８、ゲート１９、第１始動口２０、第２始動口２１、大入賞口２２、アウト口２３のいずれかに入球する。この時、遊技球が、普通入賞口１８、第１始動口２０、開放時の第２始動口２１や大入賞口２２に入賞すれば、所定数の遊技球が球受け皿４４上に払い出され、ゲート１９を通過すれば、抽選により第２始動口２１を所定時間若しくは所定回数開放させることとなる。また、遊技球が、第１始動口２０や開放時の第２始動口２１に入賞すれば、抽選により、大当たり、中当たり、小当たり等の当たりや外れが決定され、当たりとなれば、大入賞口２２を、その当たりに応じて開放時間、開放回数、入賞個数等を制限して、開放することとなる。これらの作動や遊技フローは、公知のものであり、遊技盤５の背面側（後面側）に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプ２７やスピーカ２８等を作動させつつ、所定の演出を画像表示装置１５に表示することとなる。
【００３５】
このようなパチンコ遊技機１に対し、不正行為者は、可撓性を有した０．１〜０．３φ程度の細い釣り糸のような連結材Ｓを付けた遊技球Ｂを、通常の遊技球と同様に、球受け皿４４から、ハンドル４８を操作し、球送り装置６０を経て、発射装置３０に送り、発射装置３０から遊技領域１２へ打ち出す。その際、連結材Ｓの元部端側は、球受け皿４４側に残しておく。そして、不正行為者は、その連結材Ｓの元部側を引張ったり繰出したりして、遊技球Ｂを操作し、遊技球Ｂを、賞球のある既述の入賞口１８，２０，２１，２２に入球させ、それらの入賞スイッチ（球検知スイッチ）２５の部位で、連結材Ｓを操作して、遊技球Ｂを往復移動させることにより、入賞スイッチ２５を何回もオンさせて、賞球を得ようと、不正を働くこととなる。
【００３６】
発射装置３０について説明すると、発射装置３０は、図４〜６に示すように、前方側をカバー３３に覆われた発射杆３２と、発射通路３４と、を備えて構成されている。発射杆３２は、揺動中心部３２ａから放射状に延びる打球部３２ｂとアーム部３２ｃとを備え、揺動中心部３２ａが図示しないロータリソレノイドの通電によって回動されれば、発射杆３２が、正面視で、打撃位置ＢＰまで時計回り方向に回転し、発射通路３４の発射レール３５上にある遊技球Ｂを打球部３２ｂによって叩き、ついで、ロータリソレノイドの通電停止により、発射杆３２が、図示しない磁石の吸着力と自重とにより、反時計回り方向に回転して、原位置ＦＰに復帰することとなる。なお、アーム部３２ｃは、発射杆３２の打撃位置ＢＰと復帰位置（原位置）ＦＰとへの配置を的確に行えるように、図示しない所定のストッパに当接して、発射杆３２を一定位置に配置できるように、構成されるとともに、所定位置に配置される磁石に対応して、発射杆３２の復帰時に吸着される部位、として形成されている。
【００３７】
発射通路３４は、板金製として上面側をＶ字状に凹ませた発射レール３５と、その周囲の下ガイドレール３６及び上ガイドレール３７と、を備えて構成され、さらに、後面側を、発射装置３０のベース板３１に囲われ、前面側を、前面枠３側の球送り装置６０等の部材に囲われて、構成されている。
【００３８】
そのため、発射レール３５上で打球部３２ｂに叩かれた遊技球Ｂは、図５に示すように、発射通路３４を上昇し、中枠２ｂに設けられた転動路２ｃ等を経て、レール部８側に発射され、そして、レール部８を経て、遊技領域１２に打ち出されることとなる。
【００３９】
なお、レール部８の下方には、図２，５に示すように、前面枠３側に設けられた球案内樋部５３が配設されている。この球案内樋部５３は、発射装置３０によって発射された遊技球Ｂが遊技領域１２に打ち出されずにレール部８内を戻ってくる遊技球Ｂを、球受け皿４４側に戻す戻し通路５４を備えて構成され、外側レール部９の下端９ａに、戻し通路５４の流入口５４ａを開口させている。さらに、球案内樋部５３には、戻し通路５４の後方側に配置されて、賞球や貸し出しで払い出される遊技球を、球受け皿４４側に転動させる払出側通路５５も、配設されている。図２に示す符号５５ａの部位は、払出側通路５５の流入口である。さらに、図２に示す符号５６は、発射通路３４を上昇する遊技球を転動させる転動路５６である。
【００４０】
そして、このパチンコ遊技機１では、図６〜１０に示すように、球送り装置６０に、第１実施形態の抵抗部（繰出抵抗部）ＳＲ１を設けている。
【００４１】
球送り装置６０は、図２〜４に示すように、球受け皿４４の遊技球Ｂの転動路４５（図１参照）における終端（下端）の排出口４６に連なるように、配設されている。なお、排出口４６は、図３に示すように、前面枠３の後面に開口されており、その下縁側には、通路球抜きボタン５０の操作により、スライドして、球送り装置６０側ではなく、球受け皿４４から下方に遊技球を排出するように開口するシャッタ４７（図１３参照）が、配設されている。
【００４２】
球送り装置６０は、図７に示すように、ケース６１、ソレノイド６４、揺動プレート６５、送り部材７０、ガイドレール部材７７、及び、抵抗部品９０、を備えて構成され、ケース６１は、相互に締結される前カバー６２と後カバー６３とを備えて構成されている。実施形態の場合、ケース６１や抵抗部品９０以外のソレノイド６４等の部品は、前カバー６２と後カバー６３との少なくとも一方に組み付けられたり、あるいは、前カバー６２と後カバー６３との両者の締結時に、位置決めされるように、ケース６１に組み付けられている。
【００４３】
ソレノイド６４は、コ字形の支持プレート６６に保持されて、通電時、揺動プレート６５を吸着する。揺動プレート６５は、上端を、支持プレート６６に締結される引張りコイルばね６７と連結させ、上下方向の中間の支持部６５ａを支持プレート６６の係止片６６ａ，６６ａに支持させている。そのため、揺動プレート６５は、支持部６５ａを揺動中心として、ソレノイド６４の通電により、先端部６５ｂをソレノイド６４側に接近させ、ソレノイド６４の通電停止により、コイルばね６７の付勢力により、先端部６５ｂをソレノイド６４から離すように、揺動する。
【００４４】
送り部材７０は、図７，１３に示すように、平面視としてＵ字状として、「Ｕ」の字の底部７１に軸支部７１ａを配置させ、軸支部７１ａに、後カバー６３に上下両端を支持される支持ピン６８を挿通させることにより、支持ピン６８を中心に、左右方向に揺動可能に配設されている。そして、送り部材７０は、底部７１の上面に、湾曲した半割り円筒状の突起７４，７５を突設させ、突起７４，７５間に、揺動プレート６５の先端部６５ｂを嵌め込んでいる。そのため、ソレノイド６４の通電と通電停止とにより、揺動プレート６５が左右に揺動すれば、送り部材７０は、支持ピン６８を中心として、左右に揺動する。
【００４５】
また、送り部材７０は、底部７１から左右両側の前方に延びる二つの規制杆部７２，７３を備え、規制杆部７２，７３の間に、１個分の遊技球Ｂを収納できる凹部７０ａを形成している。規制杆部７２は、ソレノイド６４の非通電時における揺動プレート６５がソレノイド６４から離れた位置に配置されている際、球受け皿４４側の排出口４６の後方を塞ぐ位置に、前面の受止面７２ａを配置させて、球受け皿４４側の排出口４６に位置する遊技球Ｂの球送り装置６０側への流入を阻止している。そして、ソレノイド６４の通電に伴って、揺動プレート６５がソレノイド６４に接近する方向に揺動すれば、規制杆部７２が、右方に回転し、受止面７２ａを排出口４６から右方にずらすため、排出口４６に配置されていた遊技球Ｂが凹部７０ａ内に進入する。ついで、ソレノイド６４への通電停止により、コイルばね６７の付勢力が作用して、揺動プレート６５がソレノイド６４から離れれば、規制杆部７２が、排出口４６を塞ぐように復帰する。そしてその際、規制杆部７３は、下方側に延びるような厚さ寸法を小さくした板状として、かつ、その下方のガイドレール部材７７の転動路７９の底壁８０が、左下がりに傾斜しているため、凹部７０ａ内に収納していた遊技球Ｂは、規制杆部７３の下方を潜り抜けるように、左下がりの転動路７９の底壁８０上を、左方に転動していくこととなる。そのため、ソレノイド６４の１サイクル分の通電・通電停止により、送り部材７０が１回分左右に揺動し、排出口４６を経てガイドレール部材７７の流入口７８側に流入しようと待機していた遊技球Ｂが、１個ずつ、転動路７９を経て、そして、転動路７９の終端の流下口８２を経て、発射装置３０に送られることとなる。
【００４６】
ガイドレール部材７７は、図６，７，１１〜１４に示すように、排出口４６に連通するように、排出口４６の後方に遊技球Ｂの流入口７８を配置させ、そして、流入口７８から遊技球Ｂを転動させるように転動路７９を配設させている。転動路７９の終端は、遊技球Ｂを落下させる流下口８２としており、流下口８２は、発射装置３０の発射レール３５の上面に遊技球を落下可能な位置に配置されている。
【００４７】
転動路７９は、流入口７８から左方に傾斜して下がり、さらに、斜め右後方側に反転するように、曲がりながら下がって、流下口８２に向かうように配設されている。この転動路７９は、底壁８０と、転動路７９の曲がる外周側に配置される側壁８１と、を備えて構成されている。
【００４８】
そして、第１実施形態では、転動路７９の右後方に反転するような反転部（曲がり部）７９ａにおける内側の通路面ＩＦ側に、すなわち、遊技球Ｂの曲がった通路部位ＬＲにおける内側の通路面ＩＦ側に、抵抗部ＳＲ１を設けた抵抗部品９０を配設させている。この抵抗部品９０は、図７〜１３に示すように、ポリプロピレン等の合成樹脂から形成されており、底壁８０に固定する三角板状の取付座９１と、ガイド壁９２と、柱状部９３と、を備えて構成されている。取付座９１には、抵抗部品９０を底壁８０に取り付けるための取付孔９１ａと、底壁８０の位置決め孔８５に嵌合される位置決め突起９１ｂと、が配設されている。なお、抵抗部品９０を取り付ける際には、ねじ８７が使用され、底壁８０側には、ねじ８７を螺着させる取付孔８４が形成されている。
【００４９】
ガイド壁９２は、取付座９１の前縁側から上方に延びるように配設されて、送り部材７０の規制杆部７３の下方を潜り抜ける遊技球Ｂを、底壁８０上で左方に転動させるように案内する。
【００５０】
柱状部９３は、ガイド壁９２の左端で三角柱状に、取付座９１から上方に延びるように形成されている。そして、柱状部９３の通路面ＩＦ側におけるコーナ部９４には、上下に３つの溝部９６（９６Ａ，９６Ｂ，９６Ｃ）が形成されている。
【００５１】
各溝部９６は、それぞれ、抵抗部ＳＲ１を構成するもので、遊技球Ｂの底壁８０上を転動する移動方向に沿って、換言すれば、底壁８０に沿って、前側から後下がりに延びるように、形成され、凹んだ底部９７を挟んで、上下方向で対向する対向壁部９８，９９を備えて構成されている。なお、各溝部９６の形成される方向は、曲がった通路部位ＬＲを通る遊技球Ｂの移動方向に沿って形成されており、連結材Ｓを付けた遊技球Ｂが、遊技球Ｂの転動する上流側の流入口７８から、コーナ部９４（反転部７９ａ）を回るように底壁８０上を転動して、下流側の流下口８２に到達すれば、連結材Ｓは、流入口７８から流下口８２まで連なるように延びて、結果的に、連結材Ｓが遊技球Ｂの転動する移動方向と一致して延びる状態となる。そのため、緊張状態となる連結材Ｓは、溝部９６に沿った状態で直線状となって、溝部９６内の全域に進入し易くなる。
【００５２】
そして、各溝部９６は、開口９６ａ側から底部９７側にかけて対向壁部９８，９９相互の対向面９８ａ，９９ａが狭まるように、相互に相対的に傾斜して形成されている。すなわち、各溝部９６は、開口９６ａの上下方向の開口幅を、底部９７側にかけて狭めるように形成されている。さらに、実施形態の抵抗部ＳＲ１では、底部９７において、対向面９８ａ，９９ａの少なくとも一方が凹んで、上下方向の幅を広くするような引掛け溝１００を形成して構成されている（図９参照）。
【００５３】
実施形態の場合、上部側の二つの溝部９６Ａ，９６Ｂにおける下方側の対向壁部９９が、その対向面９９ａの底部９７側を下方に凹ませて、引掛け溝１００を形成している。また、下端の溝部９６Ｃの対向する対向壁部９８，９９相互が、共に、対向面９８ａ，９９ａの底部９７側を上下両側に凹ませて、引掛け溝１００を形成している。
【００５４】
そして、第１実施形態の抵抗部ＳＲ１では、各溝部９６の引掛け溝１００を設けた対向壁部９８，９９側が、底部９７との間に連結材Ｓを収納する隙間ｈを開けて、繰り出される連結材Ｓを引掛けて折曲させる引掛け突起（引掛け凸起）１０２、を形成している。引掛け突起１０２における底部９７の底面９７ａと対向する面は、引掛け面１０３として、引掛け溝１００内に進入した連結材Ｓにおける溝部９６の開口９６ａ側への移動を規制している。この引掛け面１０３は、溝部９６の形成方向と平行に形成されている。
【００５５】
この第１実施形態の抵抗部ＳＲ１を設けた球送り装置６０では、不正行為者が、ハンドル４８を操作して、連結材Ｓを付けた遊技球Ｂを、球受け皿４４の転動路４５と排出口４６と経て、球送り装置６０に流入させ、さらに、発射装置３０から、レール部８を経て、遊技領域１２に打ち出そうとする際、その球送り装置６０の部位では、図１１〜１３に示すような挙動となる。
【００５６】
すなわち、連結材Ｓを付けた遊技球Ｂが、送り部材７０の左右の揺動により、排出口４６から流入口７８を経て、ガイドレール部材７７の転動路７９に流入して、規制杆部７３の下方を潜り抜けて、抵抗部品９０付近に到達する（図１１のＡ〜Ｃ、図１３のＡの二点鎖線参照）。その後、遊技球Ｂは、さらに転動して、反転部７９ａを通過して、流下口８２から発射装置３０の発射レール３５上に流下しようとする（図１２のＡ，Ｂ、図１３のＢの実線参照）。
【００５７】
そしてその後、遊技球Ｂが、発射レール３５上に流下して、発射装置３０の発射杆３２の打球部３２ｂの打撃により、発射通路３４へ発射される（図１４参照）。
【００５８】
その際、遊技球Ｂから延びる連結材Ｓが、抵抗部品９０の何れかの溝部９６に進入し、さらに、溝部９６の底部９７側に案内されて、引掛け溝１００に進入し、引掛け突起１０２に引掛けられて曲げられた状態で、繰り出される。すなわち、遊技球Ｂに連なる連結材Ｓが、抵抗部ＳＲ１の引掛け溝１００の内周面１０１に接触して、摺動抵抗（動摩擦抵抗）をかけられて速度を低減される。そして、連結材Ｓが速度を低減されれば、連結材Ｓが遊技球Ｂの移動に制動をかける状態となって、遊技球Ｂの遊技領域１２への打ち出しが、防止される。なお、遊技領域１２への打ち出しが防止された遊技球Ｂは、レール部８を流下して、流入口５４ａから戻し通路５４に入り、球受け皿４４側に戻される。
【００５９】
また、この抵抗部ＳＲ１の引掛け溝１００は、球受け皿４４から遊技領域１２に向かって移動する遊技球Ｂ自体との接触を抑制できる位置、すなわち、遊技球Ｂが接触する曲がった通路部位ＬＲの外側の通路面ＯＦ側、換言すれば、ガイドレール部材７７の側壁８１側と、逆となる曲がった通路部位ＬＲの内側の通路面ＩＦ側に、配置されているため、連結材Ｓを付けていない遊技球Ｂの遊技領域１２内への打ち出しを許容でき、正常遊技時の遊技球Ｂの遊技領域１２への打ち出し速度を低減せず、正常遊技時の遊技球Ｂを、支障なく、遊技領域１２へ打ち出すことができる。
【００６０】
さらに、第１実施形態のパチンコ遊技機１では、遊技球Ｂ自体との接触を抑制できて、繰り出される連結材Ｓと接触できる位置に、単に、抵抗部品９０ごと、抵抗部ＳＲ１を配設するだけで、連結材Ｓを付けた遊技球Ｂの遊技領域１２への打ち出しを防止できて、簡便な構成で、連結材Ｓを使用した遊技球Ｂの不正操作を防止できる。
【００６１】
したがって、第１実施形態のパチンコ遊技機１の抵抗部（繰出抵抗部）ＳＲ１では、連結材Ｓを付けた遊技球Ｂを使用しようとしても、簡便な構成として、連結材Ｓを使用した遊技球Ｂの遊技領域１２内での不正操作を防止できる。
【００６２】
さらに、第１実施形態では、抵抗部ＳＲ１の引掛け溝１００が、既述したように、曲がった通路部位ＬＲにおける内側の通路面ＩＦ側に、配置されており、移動する遊技球Ｂに連なって繰り出される連結材Ｓを、引掛け溝１００の内周面１０１（底部９７の面９７ａや引掛け面１０３）に対し、緊張状態として、圧接できて、連結材Ｓに大きな摺動抵抗をかけ易い。一方、通過する遊技球Ｂは、単に、遊技球Ｂが外側の通路面ＯＦ側を通過することから、内側の通路面ＩＦ側と非接触の状態で、通過するため、抵抗部ＳＲ１は、通過移動する遊技球Ｂ自体に対して、減速させるような接触抵抗をかけ難い。そのため、このような構成では、円滑に、連結材Ｓに制動をかけ、かつ、正常遊技時の遊技球Ｂを遊技領域１２へ打ち出すことができる。
【００６３】
特に、第１実施形態では、抵抗部ＳＲ１が、遊技球Ｂを進入不能とした開口幅として、曲がった通路部位ＬＲを通過する遊技球Ｂの移動方向に沿って延び、繰り出される連結材Ｓを底部６７側に案内可能な底狭まりの溝部９６と、溝部９６の底部９７側に配置されて、開口幅を広げるように配置され、底部９７側に案内された連結材Ｓを引掛け可能に進入させて、溝部９６の開口９６ａ側の移動を規制可能な引掛け溝１００と、を設けて構成されている。
【００６４】
そのため、連結材Ｓが、遊技球Ｂに引張られて緊張状態となれば、抵抗部ＳＲ１の溝部９６の開口９６ａから、円滑に、溝部９６の底部９７に案内され、そして、引掛け溝１００に進入する。その後、連結材Ｓは、遊技球Ｂに引張られても、溝部９６から外れず、引掛け溝１００の内周面１０１で摺動抵抗をかけられて、安定して、減速される。特に、連結材Ｓが、遊技球Ｂに引張られて、溝部９６から外れる方向に繰り出されても、引掛け溝１００における底部９７と対向する引掛け面１０３で、連結材Ｓに摺動抵抗をかけることができて、底部９７の底面９７ａ側で摺動させたり、あるいは、逆方向の引掛け面１０３側で摺動させたりして、安定して、連結材Ｓを減速できる。
【００６５】
また、引掛け溝１００は、遊技球Ｂの進入できない溝部９６の底部９７側に配置されていることとあいまって、減速させるような状態で遊技球Ｂと接触せず、連結材Ｓを付けていない正常遊技時の遊技球Ｂを、支障なく、遊技領域１２へ打ち出すことができる。
【００６６】
なお、連結材Ｓとの摺動抵抗を高めるために、溝部９６内での連結材Ｓとの接触面（引掛け溝１００の内周面１０１を含めた底面９７ａ側の全域）１０５には、図９のＣや図１０のＣの変形例に示すように、摩擦抵抗（動摩擦抵抗）を高める細かい凹凸や、ゴム等の弾性被覆層からなる摩擦抵抗増大表面部１０６、を設けてもよい。ちなみに、図例の場合には、摩擦抵抗増大表面部１０６は、ウレタンゴム等からなる弾性被覆層から形成されている。
【００６７】
勿論、抵抗部品９０自体を、連結材Ｓとの摺動抵抗を高めるために、抵抗部品９０自体を、溝部９６等の形状を維持できる形状保持性を有した状態で、ウレタン等のゴムや合成樹脂等の弾性材料から、形成してもよい。
【００６８】
また、第１実施形態では、抵抗部ＳＲ１が、球受け皿４４から発射装置３０の発射レール３５に落下させるまでの通路となる球送り装置６０の部位に、配設されている。そのため、この抵抗部ＳＲ１を経た後の遊技球Ｂの通路が発射レール３５上で発射される通路となり、急激に、遊技球Ｂの移動方向が曲げられている。しかし、抵抗部ＳＲ１は、引掛け溝１００を備えていることから、連結材Ｓを引掛け面１０３側で係止しつつ、連結材Ｓに対して、安定して、引掛け溝１００の内周面１０１による摺動抵抗をかけることができる。さらに、抵抗部ＳＲ１が、球受け皿４４から発射装置３０の発射レール３５に落下させるまでの遊技球Ｂの通路に配置されれば、球受け皿４４からパチンコ遊技機１内に入り込んだ目視できないエリアで、連結材Ｓの繰出を抑制可能となることから、不正行為者が連結材Ｓの繰出を抑制される原因や理由を把握し難く、そのため、不正行為者の不正行為を繰り返す意欲を、効果的に削ぐことができる。
【００６９】
さらに、第１実施形態では、抵抗部ＳＲ１を設けた部材を、着脱可能な交換部品としている球送り装置６０としており、既存のパチンコ遊技機において、交換して、抵抗部ＳＲ１を設けた部品（球送り装置）６０を取り付けることができて、容易に、連結材Ｓを付けた遊技球Ｂによる不正行為対策を図ることができる。
【００７０】
なお、第１実施形態の球送り装置６０に設けた引掛け溝１００を有した抵抗部ＳＲ１では、繰り出されている連結材Ｓが、仮に、引掛け溝１００から外れて、溝部９６から離脱することとなっても、その際には、遊技球Ｂが、突然、速度を上げてレール部８を通過することとなるが、その時の遊技球Ｂの挙動は、レール部８の外側レール部９に対して強く当たる状態となって、その後の遊技球Ｂは、外側レール部９とその内側レール部１０との間をジグザグ状に当たって、減速状態となり、遊技領域１２へ打ち出されずに戻し通路５４に戻る状態となる。
【００７１】
＜第１実施形態の変形例＞
また、発射装置３０に至るまでの通路に、抵抗部ＳＲ１を設ける場合には、遊技球Ｂの曲がった通路部位ＬＲにおける内側の通路面ＩＦ側に設ければよく、例えば、図１５〜１７に示すように、球送り装置６０の流下口８２の下縁８８側や左縁８９側に設けてもよい。下縁８８側は、遊技球Ｂが流下口８２から発射レール３５上に落下することから、遊技球Ｂの下方に曲がった通路部位ＬＲの内側の通路面ＩＦ側となる。また、左縁８９側は、発射レール３５上の遊技球Ｂが発射されれば、流下口８２から左斜め上方に曲がった通路部位ＬＲにおける内側の通路面ＩＦとなる。
【００７２】
なお、流下口８２の下縁８８側や左縁８９側に設けた抵抗部ＳＲ１は、第１実施形態と同様に、引掛け溝１００を設けた溝部９６を三つずつ設けた構造と同様である。但し、下縁８８側に設けた抵抗部ＳＲ１は、三つの溝部９６の全てに、左方に凹む引掛け溝１００を配設させ、また、左縁８９側の抵抗部ＳＲ１は、三つの溝部９６の全てに、上方に凹む引掛け溝１００を配設させている。すなわち、発射装置３０から発射される遊技球Ｂが、斜め上左方向に向いて、打ち出されることから、連結材Ｓも、流下口８２から斜め上左方向に向いて引張られる。そのため、下縁８８側では、左側の引掛け溝１００により、連結材Ｓを引掛け易くなり、また、左縁８９側では、上側の引掛け溝１００により、連結材Ｓを引掛け易くなることから、それらの状態に対応して、引掛け溝１００が、設定されている。
【００７３】
そして、これらの流下口８２の下縁８８側や左縁８９側に設けた抵抗部ＳＲ１でも、連結材Ｓを付けた状態で遊技球Ｂがレール部８側に発射されれば、何れかの溝部９６内に進入して、連結材Ｓが、抵抗部ＳＲ１の引掛け溝１００に引掛けられて曲げられることから、引掛け溝１００の内周面１０１から摺動抵抗を受けて、速度（繰出速度）を低減され、簡便な構成で、遊技球Ｂの遊技領域１２への打ち出しを防止できて、遊技球の操作を不能にできて、不正行為を防止できる。また、遊技球Ｂ自体は、下縁８８側や左縁８９側に設けた抵抗部ＳＲ１に対して、自重程度を掛けて接触するだけであって、著しく減速されないことから、正常遊技時の遊技球Ｂは、下縁８８側や左縁８９側に設けた抵抗部ＳＲ１と接触しても、減速せず、正常遊技時の遊技球Ｂは、支障なく、遊技領域１２に打ち出されることとなる。
【００７４】
勿論、これらの下縁８８側や左縁８９側に設けた抵抗部ＳＲ１では、その溝部９６内の連結材Ｓとの接触面には、摩擦抵抗（動摩擦抵抗）を高める細かい凹凸や、ゴム等の弾性被覆層からなる摩擦抵抗増大表面部１０６（図９のＣや図１０のＣ参照）、を設けてもよい。
【００７５】
＜第２実施形態＞
つぎに、第２実施形態の抵抗部（繰出抵抗部）ＳＲ２を説明すると、図５，１８〜２０に示すように、この抵抗部ＳＲ２は、戻し通路５４の流入口５４ａの周縁における発射装置３０から離れた左縁５４ｂ側に、配設されている。
【００７６】
戻し通路５４は、発射装置３０から発射した遊技球Ｂを遊技領域１２に案内するレール部８が、外側レール部９と内側レール部１０とを備えて構成されている場合に、外側レール部９の下端９ａに、遊技球Ｂの球受け皿４４へ連通される流入口５４ａを配設させて、構成されている。
【００７７】
この流入口５４ａは、遊技領域１２に打ち出されなかった遊技球Ｂを、転動路２ｃ側に戻さずに、戻し通路５４に流入させるように配置されている。具体的には、流入口５４ａは、発射装置３０から斜め左上方に延びる転動路２ｃに連なって、直線状の位置で、かつ、レール部８の外側レール部９が直線状から曲線状に曲がる変曲点９ｃ近傍の下方の直線部９ｄ側に、配置されている。そして、流入口５４ａは、左縁５４ｂ側を、遊技球Ｂを下方に流下させる左右方向の開口幅を開けて、右縁５４ｃの左上側に配置させている。
【００７８】
第２実施形態の抵抗部ＳＲ２は、逆Ｊ字形状の抵抗部品１１０に配設されており、抵抗部品１１０は、形状保持性を有した金属、合成樹脂、ゴム等から形成され（実施形態では板金製としている）、外側レール部９の下端９ａにおける戻し通路５４側の左縁５４ｂ側に、取り付けられている。抵抗部品１１０は、接着・溶接・ねじ止め等により左縁５４ｂ側に取り付けられる長方形板状の基部１１１と、基部１１１の上端１１１ａから反転するように斜め右下に延びる引掛け突起１１２と、を備えて構成されている。引掛け突起１１２は、凹溝１１４を隔てて、下方の先端側にかけて先細り状に尖った複数の突起部１１３を、前後方向に並設させて、構成されている。引掛け突起１１２は、戻し通路５４に流入する遊技球Ｂの流入を阻害しない範囲の長さ寸法として、転動路２ｃと略平行となる直線状に、基部１１１の上端１１１ａから斜め右下方向に延ばして配設されている。
【００７９】
この第２実施形態の抵抗部ＳＲ２では、発射装置３０から発射された遊技球Ｂがレール部８を通過する際、遊技球Ｂは、レール部８の変曲点９ｃまでの直線移動から、レール部８の外側レール部９における変曲点９ｃを越えた曲線状の内周面９ｂに案内される曲線移動となって、遊技球Ｂに引張られる連結材Ｓも、遠心力により、外側レール部９側に振られつつ繰り出される。そして、外側レール部９側に振られて繰り出される連結材Ｓは、図１９のＡ〜Ｃに示すように、慣性力により、戻し通路５４に連なる流入口５４ａの周縁における発射装置３０から離れた左縁５４ｂ側の抵抗部ＳＲ２に、円滑に接触して、抵抗部ＳＲ２から抵抗（摩擦抵抗や引掛かりの抵抗等）をかけられ、減速される。その結果、抵抗部ＳＲ２が、連結材Ｓの繰出速度を低減させて、遊技球Ｂの遊技領域１２への打ち出しを防止できる。
【００８０】
また、戻し通路５４の流入口５４ａは、遊技領域１２に打ち出されなかった遊技球Ｂをレール部８を流下させて球受け皿４４側に戻すように、配設されているものであって、その流入口５４ａの周縁自体が、遊技領域１２へ向かう遊技球Ｂ自体を減速させないように、配設されている。そのため、戻し通路５４側の流入口５４ａの周縁に配置された抵抗部ＳＲ２は、遊技領域１２へ向かって移動する遊技球Ｂと接触し難く、連結材Ｓを付けていない正常遊技時の遊技球Ｂを、減速させずに、支障なく、遊技領域１２へ打ち出すことができる。
【００８１】
さらに、第２実施形態の抵抗部ＳＲ２は、繰り出される連結材Ｓを突起部１１３で引掛ける引掛け突起１１２、を備えて構成されている。このような構成では、引掛け突起１１２が、図２０に示すように、突起部１１３の部位で、連結材Ｓを絡ませるように引掛けることができる。そのため、連結材Ｓは、遊技球Ｂに引張られても、突起部１１３の部位で、絡まりつつ、曲がった状態で、繰り出されることから、強い摺動抵抗（動摩擦抵抗）をかけられたり、引掛かって急激に制動をかけられるような抵抗を受けて、急激に減速され、その結果、遊技球Ｂの遊技領域１２への打ち出しが、的確に防止される。
【００８２】
なお、引掛け突起１１２の摺動抵抗を高めたり、引掛け後の外れを防止するために、引掛け突起１１２の連結材Ｓとの接触面、すなわち、突起部１１３の配置された先端部１１２ａの外表面には、摩擦抵抗を高める細かい凹凸やゴム等の弾性被覆層等の摩擦抵抗増大表面部（望ましくは、ゴミの付着し難い弾性被覆層）を設けてもよい。
【００８３】
＜第２実施形態の変形例＞
第２実施形態のような抵抗部としての引掛け突起は、遊技球自体との接触を抑制できて、繰り出される連結材と接触できる位置に配置させることができれば、球受け皿４４から遊技領域１２に至るまでの間の遊技球の曲がった通路部位ＬＲにおける内側の通路面ＩＦ側に、配置させて、繰り出される連結材Ｓを、急激に制動をかけるように、引掛けてもよい。
【００８４】
例えば、図１０，１５に示すように、反転部７９ａや流下口８２の左縁８９側の抵抗部ＳＲ１を見れば、遊技球Ｂを進入させない開口幅の溝部（凹溝１１４）９６間を、連結材Ｓの引掛け時に、急激に、連結材Ｓに制動をかけるような抵抗を発生させる突起部１１３として、見ることができる。すなわち、連結材Ｓを付けた遊技球Ｂが、発射装置３０により発射されるまでは、溝部９６内に進入していなくとも、遊技球Ｂが発射されて、勢いよく連結材Ｓが繰り出された際、連結材Ｓが、溝部９６内に進入して突起部１１３に引掛かり、あるいは、突起部１１３に絡まって引掛かり、上方への移動を規制されれば、連結材Ｓは、急激に制動をかけられるような抵抗を受けて、減速され、その結果、遊技球Ｂの遊技領域１２への打ち出しが防止される。
【００８５】
したがって、第１実施形態の抵抗部ＳＲ１付近は、第２実施形態の抵抗部ＳＲ２と同様に、凹溝１１４を間にして複数の突起部１１３を設けた引掛け突起１１２として、作用させることができる。なお、第１実施形態の抵抗部ＳＲ１付近を、第２実施形態の抵抗部ＳＲ２と同様に作用させる場合、引掛け溝１００があれば、より連結材Ｓを引掛け易くなるが、連結材Ｓを急激に減速できれば、引掛け溝１００は、無くしても良い。
【００８６】
＜第３実施形態＞
また、レール部に抵抗部を設ける場合には、図２１〜２５に示す第３実施形態の抵抗部（繰出抵抗部）ＳＲ３のように構成してもよい。
【００８７】
この第３実施形態の抵抗部ＳＲ３は、外側レール部９と内側レール部１０とを備えて構成されるレール部８の内側レール部１０に、配設され、特に、実施形態の場合、内側レール部１０に取り付ける抵抗部品１２０に、設けられている。この内側レール部１０は、遊技領域１２を囲むように、外膨らみの曲線状に形成されており、遊技球Ｂの曲がった通路部位ＬＲにおける内側の通路面ＩＦ側を構成することとなる。そして、遊技領域１２に向かう遊技球Ｂは、曲がった通路部位ＬＲの外側の通路面ＯＦとなる外側レール部９の内周面９ｂに、接触しつつ、レール部８を上昇移動することとなる。
【００８８】
この内側レール部１０は、上端１０ａから下方に離れて左方に膨らんだ部位の前後方向の中間部位に、遊技球Ｂの進入しない前後方向の開口幅として、上下方向に延びる長孔状の開口１１８が、開口され、開口１１８の周縁における内側レール部１０の内周面１０ｂ側に、抵抗部品１２０が取り付けられている。
【００８９】
抵抗部品１２０は、シート状の摩擦抵抗部１２３を取付基部１２１に組み付けて構成され、取付基部１２１の前後両側の取付部１２１ｃを内側レール部１０の内周面１０ｂに取り付けて、配設されている。
【００９０】
シート状の摩擦抵抗部１２３は、弾性変形する多数の引掛け突起（引掛け凸部）１２５を可撓性を有したベース部１２４から突設させて構成され、これらを２枚使用して、取付基部１２１の元部１２１ａ側で、ベース部１２４の元部１２４ａ，１２４ａ相互を重ねて、取付基部１２１の元部１２１ａ側に取り付け、広げた先端１２４ｂ側を、それぞれ、取付基部１２１の先端部１２１ｂ側に取り付けている。
【００９１】
引掛け突起１２５は、ベース部１２４から突出する軸部１２６と、軸部１２６の先端で拡径される頭部１２７と、を備えて構成され、頭部１２７は、先細り状に形成されている。これらの引掛け突起１２５は、連結材Ｓが頭部１２７を乗り越えて軸部１２６側に進入した際、図２５に示すように、連結材Ｓが、軸部１２６によって、蛇行されるように、相互に接近して、配設されている。
【００９２】
この第３実施形態の摩擦抵抗部１２３を備えて構成される抵抗部ＳＲ３では、遊技球Ｂが、発射装置３０から発射され、レール部８を上昇する際、図２３のＡ，Ｂに示すように、遊技球Ｂに連なる連結材Ｓは、内側レール部１０の外周側の全面に接触するように、牽引されることから、内側レール部１０の開口１１８を経て、二枚の摩擦抵抗部１２３の凹んだ溝部１２２内に入り、さらに、図２４のＡ，Ｂに示すように、引掛け突起１２５を撓ませつつ、頭部１２７を乗り越えて、引掛け突起１２５の軸部１２６まで進入する。この時、図２５のＡ，Ｂに示すように、連結材Ｓが、複数の軸部１２６を弾性変形させるように曲げつつ、蛇行して、軸部１２６間を潜り抜ける状態となる。そのため、連結材Ｓは、複数の軸部１２６の外周面１２６ａから摩擦抵抗を受けて、減速され、遊技球Ｂに制動をかける状態となって、遊技球Ｂの遊技領域１２への打ち出しを防止することとなる。
【００９３】
そして、遊技球Ｂ自体は、抵抗部ＳＲ３を構成する摩擦抵抗部１２３が、内側レール部１０の内周面１０ｂ側の開口１１８周縁に配置されて、遊技球Ｂと接触しないことから、正常遊技時の遊技球Ｂは、支障なく、遊技領域１２に打ち出し可能となる。
【００９４】
なお、抵抗部ＳＲ３では、溝部１２２を形成するように、二枚のシート状の摩擦抵抗部１２３の元部１２４ａ側を、対向させるように、重ねて配設する場合を示したが、遊技球Ｂと引掛け突起１２５との接触を抑制（防止）できるように、開口１１８から引掛け突起１２５を突出させない状態とし、一枚の摩擦抵抗部１２３を、引掛け突起１２５の頭部１２７側を外側レール部９側に向けて、内側レール部１０の内周面１０ｂ側に、配置させて構成してもよい。
【００９５】
＜第４実施形態＞
さらに、内側レール部に抵抗部を設ける場合に、図２６〜２８に示す第４実施形態の抵抗部（繰出抵抗部）ＳＲ４のように構成してもよい。この第４実施形態の抵抗部ＳＲ４は、ウレタンゴムシート等の弾性変形可能な薄肉の膜状、あるいは、シート状の弾性変形部１３４を設けた摩擦抵抗部１３３から、構成されている。
【００９６】
そして、第４実施形態の抵抗部ＳＲ４では、面状に広い摩擦抵抗部１３３を、内側レール部１０の円弧状の外周面１０ｃにおいて、転動路２ｃから直線状に延びた直線部位を接線とする接点部位１０ｄから上端１０ａにかける部位１０ｅに、設けて構成されている。
【００９７】
すなわち、内側レール部１０を設けたレール部８は、曲がった通路部位ＬＲであり、さらに、遊技領域１２へ打ち出す遊技球Ｂ自体は、外側の通路面ＯＦ側の外側レール部９の内周面９ｂ側で移動されて、曲がった通路部位ＬＲの内側の通路面ＩＦ側に配置された摩擦抵抗部１３３には、接触しないことから、連結材Ｓを付けていない正常遊技時の遊技球Ｂを、減速させずに、支障なく、遊技領域１２へ打ち出すことができる。そして、遊技球Ｂに引張られる連結材Ｓ自体は、図２８のＡ，Ｂに示すように、緊張状態で摩擦抵抗部１３３に、圧接されるため、的確に、摩擦抵抗を受けて減速されることとなる。
【００９８】
特に、第４実施形態では、繰り出される連結材Ｓとの接触時に、接触面積を増大させるように沈み込んで圧縮弾性変形されて、動摩擦抵抗を増加させるるような弾性変形部１３４により、摩擦抵抗部１３３を形成し、このような弾性変形部１３４は、凹凸を有することなく、平滑に構成できることから、ゴミの付着を防止できる。
【００９９】
勿論、このような点を考慮しなければ、動摩擦抵抗を増加可能に、凹凸（図２４に示す複数の引掛け突起１２５を設けた場合を含む）を設けた摩擦抵抗部を、内側レール部１０の部位１０ｅに設けてもよい。
【０１００】
なお、動摩擦抵抗を連結材Ｓにかける摩擦抵抗部１３３は、レール部８以外の遊技球Ｂとの接触が殆ど無い曲がった通路部位ＬＲの内側の通路面ＩＦ側に、配設させてもよい。但し、上記のような内側レール部１０に設ける場合には、長く、摩擦抵抗部１３３を配設できることから、接触部位全体で、連結材Ｓに対して、大きな摩擦抵抗を加えることができて、連結材Ｓを付けた遊技球Ｂの遊技領域１２への打ち出しを、的確に、防止することができる。
【０１０１】
なお、第４実施形態の場合、弾性変形部１３４を構成するシート状の摩擦抵抗部１３３を、内側レール部１０の外周面１０ｃ側に、貼着させて配設しているが、弾性変形材料を塗布等して、内側レール部１０に弾性変形部１３４を設けてもよい。
【符号の説明】
【０１０２】
１…パチンコ遊技機、
８…レール部、
９…外側レール部、
１０…内側レール部、
１２…遊技領域、
２５…（入賞スイッチ）球検知スイッチ、
３０…発射装置、
４４…球受け皿、
４８…ハンドル、
６０…球送り装置、
９０，１１０，１２０…抵抗部品、
９６，９６Ａ，９６Ｂ，９６Ｃ…溝部、
９７…底部、
１００…引掛け溝、
１１２…引掛け突起、
１２０，１３３…摩擦抵抗部、
１３４…弾性変形部、
ＬＲ…曲がった通路、
ＩＦ…内側の通路面、
ＯＦ…外側の通路面、
ＳＲ１，ＳＲ２，ＳＲ３，ＳＲ４…抵抗部、
Ｓ…連結材、
Ｂ…遊技球。
【図１】
2012070943.tif 000003
【図２】
2012070943.tif 000004
【図３】
2012070943.tif 000005
【図４】
2012070943.tif 000006
【図５】
2012070943.tif 000007
【図６】
2012070943.tif 000008
【図７】
2012070943.tif 000009
【図８】
2012070943.tif 000010
【図９】
2012070943.tif 000011
【図１０】
2012070943.tif 000012
【図１１】
2012070943.tif 000013
【図１２】
2012070943.tif 000014
【図１３】
2012070943.tif 000015
【図１４】
2012070943.tif 000016
【図１５】
2012070943.tif 000017
【図１６】
2012070943.tif 000018
【図１７】
2012070943.tif 000019
【図１８】
2012070943.tif 000020
【図１９】
2012070943.tif 000021
【図２０】
2012070943.tif 000022
【図２１】
2012070943.tif 000023
【図２２】
2012070943.tif 000024
【図２３】
2012070943.tif 000025
【図２４】
2012070943.tif 000026
【図２５】
2012070943.tif 000027
【図２６】
2012070943.tif 000028
【図２７】
2012070943.tif 000029
【図２８】
2012070943.tif 000030